(57)【要約】【課題】ゴミ／埃などが侵入し難い構成を有する反応槽を備えた臨床検査用の分析装置を実現する。【解決手段】反応槽２０１の内部には、送風機構より反応槽２０１の底面部から矢印で示す方向に空気が送り込まれ、反応容器２０２に形成された鍔部から空気を排出する。この排出空気は、埃等の反応槽２０１内の液体４０１への侵入遮断の為の遮断用空気流層からなり、反応槽２０１における液体４０１の収容部開口に対するエアカーテンを形成している。反応槽２０１の、液体４０１を収容する底面部、内周側壁部、外周側壁部には複数の空気通路２０１ａが一定間隔で形成されており、これら複数の空気通路２０１ａに底面部からエアカーテン用空気が供給される。【選択図】図２
2011127916.tif 000002
【特許請求の範囲】
【請求項１】
試料が収容される反応容器と、
上記反応容器を保持する反応ディスクと、
上記反応ディスクに保持された反応容器を収容するとともに、収容した反応容器内の試料を一定温度に維持するための液体を収容する液体収容部と、この液体収容部と上記反応容器との間に塵侵入遮断用の空気流層を形成する空気流層形成部とを有する反応槽と、
上記反応槽の液体収容部に収容された反応容器内の試料を光学的に測定する光度計と、
を備えることを特徴とする臨床検査用の分析装置。
【請求項２】
請求項１に記載の臨床検査用の分析装置において、
上記液体収容部は、底面部と壁面部とを有し、上記空気流層形成部は、上記液体収容部の底面部内及び壁面部内に形成された空気流通路であり、上記底面部に形成された空気流入口から空気が流入され、上記壁面部の上面に形成された空気流出口から空気が流出されることにより、上記空気流層が形成されることを特徴とする臨床検査用の分析装置。
【請求項３】
請求項１に記載の臨床検査用の分析装置において、
上記液体収容部は、底面部と壁面部とを有し、上記空気流層形成部は、上記液体収容部の底面部内及び壁面部内に形成された空気流通路であり、上記壁面部の上面に形成された空気流入口から空気が流入され、上記底面部に形成された空気流出口から空気が流出されることにより、上記空気流層が形成されることを特徴とする臨床検査用の分析装置。
【請求項４】
請求項１に記載の臨床検査用の分析装置において、
上記液体収容部は、底面部と壁面部とを有し、上記空気流層形成部は、上記液体収容部の底面部内及び壁面部内に形成された空気流通路であり、上記底面部に形成された空気流入口から空気が流入され、上記壁面部の内面に形成された空気流出口から空気が流出されることにより、上記空気流層が形成されることを特徴とする臨床検査用の分析装置。
【請求項５】
請求項１に記載の臨床検査用の分析装置において、
上記液体収容部は、底面部と壁面部とを有し、上記空気流層形成部は、上記液体収容部の底面部内及び壁面部内に形成された冷却機構であることを特徴とする臨床検査用の分析装置。
【請求項６】
請求項５に記載の臨床検査用の分析装置において、
上記反応容器内に供給される試薬を保冷する試薬保冷庫を備え、上記冷却機構は、上記試薬保冷庫の冷却庫の冷気により、冷却されることを特徴とする臨床検査用の分析装置。
【請求項７】
請求項５に記載の臨床検査用の分析装置において、
上記冷却機構は、ペルチェ素子を有し、このペルチェ素子により、上記壁面部の上面を冷却することにより上記空気流層が形成されることを特徴とする臨床検査用の分析装置。
【請求項８】
請求項１に記載の臨床検査用の分析装置において、
上記液体収容部は、底面部と壁面部とを有し、上記空気流層形成部は、上記液体収容部の底面部内及び壁面部内に形成された複数の空気流通路であり、これら複数の空気流通路の一部は、上記底面部に形成された空気流入口から空気が流入され、上記壁面部の上面に形成された空気流出口から空気が流出されることにより、上記空気流層が形成され、上記複数の空気流通路の他の一部は、上記壁面部の上面に形成された空気流入口から空気が流入され、上記底面部に形成された空気流出口から空気が流出されることにより、上記空気流層が形成されることを特徴とする臨床検査用の分析装置。
【請求項９】
試料が収容される反応容器と、
上記反応容器を保持する反応ディスクと、
上記反応ディスクに保持された反応容器を収容するとともに、収容した反応容器内の試料を一定温度に維持するための液体を収容する液体収容部を有する反応槽と、
上記反応槽の液体収容部と、この液体収容部に収容された反応容器との間を封止する封止部材と、
上記反応槽の液体収容部に収容された反応容器内の試料を光学的に測定する光度計と、
を備えることを特徴とする臨床検査用の分析装置。
【請求項１０】
請求項９に記載の臨床検査用の分析装置において、
上記反応ディスクに保持された反応容器が、上記反応槽の液体収容部から離間する方向及び上記液体収容部に接近する方向に移動するように、上記反応ディスクを移動させる反応ディスク移動手段と、
上記反応ディスク移動手段を制御し、試料を分析する動作時には、上記反応容器と上記液体収容部とを離間させて、上記封止手段による液体収容部と反応容器との封止を解除し、試料を分析する動作を行わないときは、上記封止手段により液体収容部と反応容器とを封止させる制御手段と、
を備えることを特徴とする臨床検査用の分析装置。
【請求項１１】
請求項１０に記載の臨床検査用の分析装置において、
上記反応槽は、上記液体収容部と上記反応容器との間に塵侵入遮断用の空気流層を形成する空気流層形成部を有し、
上記制御手段は、上記試料を分析する動作時には、上記空気流層形成部により上記液体収容部と上記反応容器との間に塵侵入遮断用の空気流層を形成させることを臨床検査用の分析装置。
【発明の詳細な説明】
【技術分野】
【０００１】
本発明は、血液、尿等の生体サンプルの定性・定量分析を行う臨床検査用の分析装置に関する。
【背景技術】
【０００２】
血液、尿等の生体サンプル中の特定成分の定性・定量分析を行う臨床検査用の分析装置では、生体サンプル中の特定成分と反応し色が変るような試薬をサンプルに添加し、サンプルの色の変化（吸光度の変化）を、光度計等を用いて測定するものが一般的である。
【０００３】
このような臨床検査用の分析装置に供される試薬には一般的に酵素が含まれている。試薬中の酵素は生体サンプル中に含まれる特定成分に対して反応し、反応生成物を作り出す。作り出された反応生成物は更に同じく試薬に含まれている発色剤と反応することで生体サンプル中の特定成分の濃度に比例した色の変化（吸光度の変化）を生じる。
【０００４】
このとき、酵素を働かせるためには試薬と生体サンプルを混合させる反応容器を一定温度（一般的には３７℃前後）に保持する必要がある。
【０００５】
そこで、反応容器を一定温度に保持するための反応槽に保持する必要がある。反応槽内の温度を一定にするためには、一般的には温度をコントロールされた媒体（液体など）を循環させることで実現している。
【０００６】
反応槽の一例としては、特許文献１に記載された自動分析装置の反応槽がある。
【先行技術文献】
【特許文献】
【０００７】
【特許文献１】特開２００５−１８１０８７号公報
【発明の概要】
【発明が解決しようとする課題】
【０００８】
しかしながら、従来技術における分析装置における、反応容器内の生体由来の試料あるいは生体由来の試料との反応生成物を一定の温度に保持するための反応槽は、分析装置外の外気に対してオープンであり、ゴミ／埃の量をコントロールした環境下には無いのが一般的である。
【０００９】
そのため、分析装置外のゴミ／埃が反応槽内に侵入し、反応槽内を循環している媒体が汚染されてしまう可能性がある。
【００１０】
また、光度計を構成する光源（ランプ）と受光側のセンサー部との間に保持された反応容器内の生体由来の試料あるいは生体由来の試料との反応生成物の吸光度を測定する事で濃度を算出していることから、反応容器を保温する反応槽内を循環する媒体が汚れていると正しい計測が行われない可能性がある。
【００１１】
本発明の目的は、ゴミ／埃などが侵入し難い構成を有する反応槽を備えた臨床検査用の分析装置を実現することである。
【課題を解決するための手段】
【００１２】
上記目的を達成するため、本発明は次のように構成される。
【００１３】
本発明の臨床検査用の分析装置は、試料が収容される反応容器と、この反応容器を保持する反応ディスクと、この反応ディスクに保持された反応容器を収容するとともに、収容した反応容器内の試料を一定温度に維持するための液体を収容する液体収容部と、この液体収容部と上記反応容器との間に塵侵入遮断用の空気流層を形成する空気流層形成部とを有する反応槽と、この反応槽の液体収容部に収容された反応容器内の試料を光学的に測定する光度計とを備える。
【発明の効果】
【００１４】
本発明によれば、ゴミ／埃などが侵入し難い構成を有する反応槽を備えた臨床検査用の分析装置を実現することができる。
【図面の簡単な説明】
【００１５】
【図１】本発明が適用される臨床検査用の分析装置の全体構成を示す図である。
【図２】本発明の第１の実施例における侵入防止機構についての説明図である。
【図３】本発明の第２の実施例における侵入防止機構についての説明図である。
【図４】本発明の第３の実施例における侵入防止機構についての説明図である。
【図５】本発明の第４の実施例における侵入防止機構についての説明図である。
【図６】本発明の第５の実施例における侵入防止機構についての説明図である。
【図７】本発明の第５の実施例の動作説明図である。
【発明を実施するための形態】
【００１６】
以下、図１〜図７を参照して、本発明による臨床検査用の分析装置の構成及び動作について説明する。
【実施例】
【００１７】
図１は、本発明が適用される臨床検査用の分析装置の全体構成を示す図である。
【００１８】
図１において、反応槽２０１は、間欠回転可能に構成されており、透光性材料からなる多数の反応容器２０２が回転可能な反応ディスク２０８の円周に沿って配置されている。
【００１９】
反応容器２０２は、反応槽２０１によって所定の温度（例えば３７°Ｃ）に維持される。反応槽２０１内における反応容器２０２内の生体由来の試料あるいは生体由来の試料との反応生成物は、恒温維持装置２０３により一定温度に調整される。
【００２０】
サンプルディスク１０１上には、血液又は尿のような生体サンプルを収容した多数の検体容器１０２が配置される。可動アーム１０３に取り付けられたピペットノズル１０４は、サンプルディスク１０１のサンプル吸入位置に位置付けられた検体容器１０２から所定量のサンプルを吸入し、そのサンプルを反応槽２０１上の吐出位置にある反応容器２０２内に吐出する。
【００２１】
試薬保冷庫３０３内には、バーコードの如き試薬識別情報を表示したラベルが貼られた複数の試薬ボトル３０４が配置される。
【００２２】
これらの試薬ボトル３０４には、分析装置によって分析され得る分析項目に対応する試薬液が収容されている。試薬保冷庫３０３に付属された試薬識別情報読み取り装置（図示せず）は、試薬登録時に、各試薬ボトル３０４の外壁に表示されている試薬識別情報を読み取る。読み取られた試薬情報は、試薬保冷庫３０３上の配置ポジションと共に後述するメモリ６に登録される。
【００２３】
試薬分注機構３０６における試薬用ピペットノズルは、試薬保冷庫３０３上の試薬ボトル３０４から試薬を吸引し、反応容器２０２内へ吐出する。反応槽２０１上の試薬受け入れ位置は検査項目に応じた受け入れ位置となっており、試薬保冷庫３０３上の試薬ボトル３０４は項目毎に位置付けられている。これにより、試薬分注機構３０６の試薬用ピペットノズルは、検査項目に応じた試薬を試薬ボトル３０４から吸引し、該当する反応容器２０２内へ吐出する。
【００２４】
反応ディスク２０８の円周に沿って配置された反応容器２０２内に収容されたサンプルと試薬の混合物は、撹拌機構２０７により撹拌される。複数の反応容器２０２の列は、光源２０５と多波長光度計２０６とによって挟まれた測光位置を通るように反応ディスク２０８によって回転移動される。
【００２５】
各反応容器２０２内におけるサンプルと試薬との反応液は、反応槽２０１の回転動作中に測光される。サンプル毎に測定されたアナログ信号は、Ａ／Ｄ変換器１２に入力される。
【００２６】
反応槽２０１の近傍に配置されている反応容器洗浄機構２０４は、使用済みの反応容器２０２の内部を洗浄することにより、反応容器２０２の繰り返し使用を可能にしている。
【００２７】
次に、図１に示した分析装置における制御系及び信号処理系について説明する。
【００２８】
図１において、コンピュータ（制御手段）５は、インターフェース１を介して、サンプル分注制御部１１、試薬分注制御部１３、Ａ／Ｄ変換器１２に接続されている。
【００２９】
コンピュータ５は、サンプル分注制御部１１に対して指令を送り、可動アーム１０３及びピペットノズル１０４の動作を制御させ、サンプルの分注動作を制御させる。また、コンピュータ５は、試薬分注制御部１３に対して指令を送り、試薬分注機構３０６の動作を制御させ、試薬の分注動作を制御させる。
【００３０】
Ａ／Ｄ変換器１２によってディジタル信号に変換された多波長光度計２０６による信号測光値は、コンピュータ５に取り込まれる。
【００３１】
インターフェース１には、印字するためのプリンタ４、記憶装置であるメモリ６や外部記憶媒体２、操作指令等を入力するためのキーボード７、画面表示するためのＣＲＴディスプレイ３が接続されている。画面表示装置としては、ＣＲＴディスプレイの他に液晶ディスプレイなどを採用できる。
【００３２】
また、メモリ６は、例えばハードディスクメモリ又は外部メモリにより構成される。メモリ６には、各操作者のパスワード、各画面の表示レベル、分析パラメータ、分析項目依頼内容、キャリブレーション結果、分析結果等の情報が記憶される。
【００３３】
臨床検査用の分析装置によって分析可能な項目に関する分析パラメータは、予めキーボード７のような情報入力装置を介して入力されておリ、メモリ６に記憶されている。操作者は、後述する操作機能画面を用いて各サンプルに依頼されている検査項目を選択する。
【００３４】
この際に、患者ＩＤなどの情報もキーボード７から入力される。各サンプルに対して指示された検査項目を分析するために、ピペットノズル１０４は、分析パラメータに従って、検体容器１０２から反応容器２０２へ所定量のサンプルを分注する。
【００３５】
サンプルを受け入れた反応容器２０２は、反応槽２０１の回転によって移送され、試薬受け入れ位置に停止する。試薬分注機構３０６のピペットノズルは、該当する検査項目の分析パラメータに従って、反応容器２０２に所定量の試薬液を分注する。サンプルと試薬の分注順序は、この例とは逆に、サンプルより試薬が先に分注されてもよい。
【００３６】
その後、撹拌機構２０７により、反応容器２０２内のサンプルと試薬との撹拌が行われ混合される。この反応容器２０２が、測光位置を横切る時、多波長光度計２０６により反応液の吸光度が測光される。測光された吸光度は、Ａ／Ｄ変換器１２、インターフェース１を経由して、コンピュータ５に取り込まれる。
【００３７】
コンピュータ５に取り込まれた吸光度は、検査項目毎に指定された分析法により予め測定しておいた検量線に基づき、濃度データに変換される。そして、各検査項目の分析結果としての成分濃度データは、プリンタ４やＣＲＴ３の画面に出力される。
【００３８】
以上説明した測定動作が実行される前に、操作者は、分析測定に必要な種々のパラメータの設定や試料の登録を、操作画面を介して行う。また、操作者は、測定後の分析結果をＣＲＴ３上の操作画面により確認する。
【００３９】
次に、図２〜図５を参照して図１に示した反応槽２０１へのゴミや埃等の侵入防止手段について説明する。
【００４０】
図２は、本発明の第１の実施例における侵入防止機構であり、反応槽２０１内の液体に装置外の埃等が侵入することを防止するための機構についての説明図である。
【００４１】
図２に示した第１の実施例では、反応槽２０１は一定温度にコントロールされた液体４０１を介して反応容器２０２内の液体を恒温維持装置２０３により定温で保温されている。反応槽２０１の内部には、図示されていない送風機構より反応槽２０１の底面部から矢印で示す方向に空気が送り込まれ、反応容器２０２に形成された鍔部から空気を排出する。この排出空気は、埃等の反応槽２０１内の液体４０１への侵入遮断の為の遮断用空気流層からなり、反応槽２０１における液体４０１の収容部開口に対するエアカーテンを形成している。
【００４２】
つまり、反応槽２０１の、液体４０１を収容する底面部、内周側壁部、外周側壁部には、複数の空気通路２０１ａが一定間隔で形成されており、これら複数の空気通路２０１ａに、底面部に形成された空気流入口２０１ｂからエアカーテン用空気が供給される。そして、内周側壁部、外周側壁部の上面に形成された空気流出口２０１ｔから空気が排出される。
【００４３】
なお、反応容器２０２の鍔部は排出された空気を反応槽２０１の外側に排出できるようにテーパーを形成することが望ましい。
【００４４】
上記送風機機構は、分析装置に通常設置されている排熱用の送風ファンを使用することもできるし、別個専用ファンを設けてもよい。
【００４５】
以上のように、本発明の第１の実施例によれば、反応槽２０１の側壁部から液体収容部の開口に向かう方向とは異なる方向（ゴミ等が侵入する方向とは反対方向）に空気が排出されるエアカーテンを形成するように構成したので、ゴミ／埃などが侵入し難い構成を有する反応槽を備えた臨床検査用の分析装置を実現することができる。
【００４６】
なお、空気通路２０１ａの空気流出口は、反応槽２０１の外周側側壁部のみに形成してもよい。
【００４７】
図３は本発明の第２の実施例における侵入防止機構であり、反応槽２０１内の液体に装置外の埃等が侵入することを防止するための機構についての説明図である。
【００４８】
その他の構成は、第１の実施例と同様であるため、その図示及び説明は省略する。
【００４９】
図３に示した本発明の第２の実施例では、反応槽２０１の内部には、図示されていない真空ポンプ等の空気吸引機構より外気を吸引する機構を有し、空気吸引機構により埃等の侵入遮断の為の遮断用空気流層のエアカーテンを形成することで反応槽内の液体４０１への反応槽外の埃等の侵入を防止する。
【００５０】
つまり、図２に示した第１の実施例との相違点は、空気通路２０１ａにおける空気の通過方向が互いに逆向きとなっている点である。このため、図２に示した空気流出口２０１ｔが空気流入口となり、図２に示した空気流入口２０１ｂが空気排出口となる。
【００５１】
本発明の第２の実施例においても、第１の実施例と同様な効果を得ることができる。
【００５２】
なお、本発明の第１の実施例と第２の実施例とを組み合わせることも可能である。つまり、反応槽２０１の一部では、空気が反応槽２０１の壁部外に流れるエアカーテンを形成し、他の部では、空気が反応槽２０１の壁部内に流れるエアカーテンを形成して、反応槽２０１の液体収容部内への塵埃等の侵入を抑制することもできる。
【００５３】
図４は本発明の第３の実施例における侵入防止機構であり、反応槽２０１内の液体に装置外の埃等が侵入することを防止するための機構についての説明図である。
【００５４】
その他の構成は、第１の実施例と同様であるため、その図示及び説明は省略する。
【００５５】
図４において、反応槽２０１の内部には、図示されていない送風機構より空気を反応槽２０１内に送り込むことで反応槽２０１と反応容器２０２とにより形成された空間部（空気通路）２０１ａの内部圧力を外気に対して高く維持することで、反応槽２０１と反応容器２０２により形成された空間部２０１ａから壁面部の内面に形成された孔（空気流出口）２０１ｈから反応槽２０１外への空気の流れを作り出すことで反応槽２０１内の液体４０１への埃等の侵入を防止する。
【００５６】
本発明の第３の実施例においても、第１の実施例と同様な効果を得ることができる。
【００５７】
図５は本発明の第４の実施例における侵入防止機構であり、反応槽２０１内の液体に装置外の埃等が侵入することを防止するための機構についての説明図である。
【００５８】
その他の構成は、第１の実施例と同様であるため、その図示及び説明は省略する。
【００５９】
図５において、本発明の第４の実施例では、反応槽２０１の液体４０１を収容する内面側には断熱材４０２が形成され、液体４０１とは断熱した状態で少なくとも反応槽２０１内の液体４０１の保持温度より低温の冷気（４°Ｃ〜５°Ｃ）を保持する機構（冷却機構）４０３を備える。
【００６０】
冷却機構４０３を冷却するための冷気は、試薬保冷庫３０３から冷気を取り出しても良いし、専用の機構を有しても良い。反応槽２０１内の液体４０１の温度と冷気の温度差により高温から低温への空気の流れを形成する。これにより、反応槽２０１と反応容器２０２により形成された空間部から反応槽２０１外への空気の流れを作り出すことで反応槽内の液体４０１への埃等の侵入を防止する。
【００６１】
つまり、液体４０１は、外気より高温であるので、液体４０１により加熱された空気が上昇する方向に流れている。一方、反応槽２０１の上面部は、冷却機構４０３により外気より低温となっている。このため、反応槽２０１の上面部には、反応槽２０１の液体収容部から外部方向に流れる空気層（エアカーテン）が形成され、ゴミ等の侵入が抑制される。
【００６２】
本発明の第４の実施例においても、第１の実施例と同様な効果を得ることができる。
【００６３】
図示した例では、保冷庫からの冷気を冷却機構４０３の冷却用とする例を示したが、冷却機構として、ペルチェ素子を用いることができる。ペルチェ素子の動作制御はコンピュータ５により行われる。
【００６４】
また、反応槽２０１の壁部にペルチェ素子を配置し、壁部の上面を冷却する構成とすることも可能である。
【００６５】
図６は、本発明の第５の実施例における侵入防止機構であり、反応槽２０１内の液体に装置外の埃等が侵入することを防止するための機構についての説明図である。
【００６６】
その他の構成は、第１の実施例と同様であるため、その図示及び説明は省略する。
【００６７】
図６において、反応槽２０１の外周側壁部及び内周側壁部の上面部と反応容器２０２に形成された鍔部との間に密着するような部材（封止部材）４０４（スポンジ状の部材）を設けることで反応槽内の液体４０１への埃等の侵入を防止する。
【００６８】
部材４０４は、反応槽２０１の外周側壁部及び内周側壁部の上面部の全面に渡って形成されていてもよいし、複数に分割され、一定間隔で形成されていてもよい。また、部材４０４の材質は、スポンジの他にゴム等の弾性材を使用することができる。さらに、金属と弾性部材との二層構造となっていてもよい。
【００６９】
反応槽２０１の外周側壁部及び内周側壁部の上面部と反応容器２０２に形成された鍔部との、部材４０４を介した密着は、試料の分析時には行わず、試料の分析時以外のときに行う構成となっている。
【００７０】
図７は、上記密着を、試料の分析時には行わず、試料の分析時以外のときに行う構成の一例を示す図である。
【００７１】
図７の（Ａ）は、試料の分析時における状態を示し、図７の（Ｂ）は、試料の非分析時における状態を示している。
【００７２】
図７に示すように、反応ディスク２０８の回転軸２０８ａには、直線ギア２０８ｇが形成され、この直線ギア２０８ｇは、回転ギア２０９と噛合う。そして、回転ギア２０８ｇの回転方向を切り替えることにより、反応ディスク２０８を上下動させ、反応容器２０２の鍔部を部材４０４に密着させ、又は部材４０４から離間させる。
【００７３】
回転ギア２０９の回転動作制御は、コンピュータ５が、回転ギア駆動モータ（図示せず）に指令信号を供給することにより行われる。
【００７４】
以上のように、本発明の第５の実施例によれば、試料の非分析時には、反応槽２０１の壁部上面と反応容器の鍔部との間を部材４０４により密閉するように構成したので、ゴミ／埃などが侵入し難い構成を有する反応槽を備えた臨床検査用の分析装置を実現することができる。
【００７５】
なお、図２〜図５に示した本発明の第１〜第４の実施例と、第５の実施例とを組み合わせた例も可能である。
【００７６】
つまり、試料の分析時には、反応容器２０２の鍔と反応槽２０１の上面とを開放して、エアカーテンを形成し、試料の非分析時には、反応容器２０２の鍔と反応槽２０１の上面とを部材４０４を介して密着させる。この場合、部材４０４は、複数の部材からなり、これら複数の部材４０４が形成されていない箇所に、空気通路２０１ａや冷却機構４０３が形成される。
【符号の説明】
【００７７】
１・・・インターフェース、  ５・・・コンピュータ、  １２・・・Ａ/Ｄ変換器、  １０１・・・サンプルディスク、  １０２・・・検体容器、  ２０１・・・反応槽、  ２０１ａ・・・空気通路、  ２０１ｈ・・・孔、  ２０２・・・反応容器、  ２０４・・・反応容器洗浄機構、  ２０５・・・光源、  ２０６・・・多波長光度計、  ２０７・・・攪拌機構、  ２０８・・・反応ディスク、  ２０８ａ・・・回転軸、  ２０８ｇ・・・直線ギア、  ２０９・・・回転ギア、  ３０３・・・試薬保冷庫、  ３０４・・・試薬ボトル、  ３０６・・・試薬分注機構、  ４０１・・・液体、  ４０２・・・断熱材、  ４０３・・・冷却機構
【図１】
2011127916.tif 000003
【図２】
2011127916.tif 000004
【図３】
2011127916.tif 000005
【図４】
2011127916.tif 000006
【図５】
2011127916.tif 000007
【図６】
2011127916.tif 000008
【図７】
2011127916.tif 000009